(57)【要約】      （修正有）【課題】機器内に粉塵及び埃が入るのを防ぎ、汚れたフィルターの掃除を簡易にすることができる電子機器のフィルター装置を提供する。【解決手段】電子機器粉塵フィルター１は、コンピューター及び電子機器の外側に不織布及びガーゼを重ねたフィルターにより機器を包むように構成され、ファスナーの開閉により機器を出し入れする事ができる。また、側面に取付けたＵＳＢ電源供給式のファン５により空気を取り込み、取込まれた空気は、電子機器粉塵フィルター１で透過され、クリーンな空気を機器内部に送り込む事ができる。フィルターの汚れは、ファスナーを開閉して機器を取外して洗濯して何度でも使用する事ができる。【選択図】 図３
0003207339.tif 000002
【実用新案登録請求の範囲】
【請求項１】
コンピューター及び電子機器の外側に不織布及ガーゼを何層にも重ねたフィルターにより機器を包むように構成され、ファスナー又は面ファスナーの開閉によりコンピューター及び電子機器の出し入れができ、かつ電子機器粉塵フィルターの側面にＵＳＢ電源供給式のファン（５）を磁石及び面ファスナー等で取り付け、ファンを回転させることで機器内にクリーンな空気を取込むようにしたことを特徴とする電子機器のフィルター装置。
【請求項２】
前面部にファスナーの開閉にてコンパクトディスク（登録商標）及びＤＶＤ（登録商標）等のメディアの出し入れができることを特徴とする請求項目１記載のフィルター装置。
【請求項３】
コンピューターの底面部に機器が滑らないようにゴム又はジェル素材の足で、地震等により機器が転倒するのを防ぐことを特徴とする請求項目１記載のフィルター装置。
【考案の詳細な説明】
【技術分野】
【０００１】
本考案は、コンピューター及び電子機器等の機器内に粉塵及び埃が入ることにより、電子部品の発熱による機能低下及び粉塵による回路基板等のショートで故障するのを防ぐことを目的とし、汚れたフィルターの掃除を容易にする電子機器のフィルター装置に関するものである。
【背景技術】
【０００２】
コンピューター及び電子機器等は、通気口に金属製の格子及びスポンジ等フィルターを通してファンにより空気を機器内に送り込んでいるが、その通気口及び機器の隙間に粉塵及び埃がたまり、定期的に掃除する必要がある。また、通気口及び機器の隙間を通過した小さい粉塵及び埃が機器内に入り込んでいる。
【０００３】
従来の技術は、窓付きの大きな金属製又はプラスチック製の防塵ラックにコンピューター及び電子機器等を入れて、換気用にフィルター等を通気口に設けファンを回転させることで機器内に空気を送り込んでいた。しかし、フィルターは機器を分解する等して定期的に清掃しなければならなく、一般家庭で使用するには、防塵ラックのコストも高く大きいため設置が困難である。下記特許文献１。
【０００４】
従来の技術には、コンピューター及び電子機器等を外形が紙製の箱形フィルターで囲い、換気ファン装置にフィルターを付けることで機器内に空気を送り込む装置がある。しかしながら、フィルターは取替えて交換する必要があり、外形の箱形フィルターも紙製のため、繰り返して使用することができないと言う欠点があった。下記特許文献２。
【先行技術文献】
【特許文献】
【０００５】
【特許文献１】特開２００３−５８２６７号公報
【特許文献２】特開２００４−２５３７５３号公報
【考案の概要】
【考案が解決しようとする課題】
【０００６】
コンピューター及び電子機器等は、換気ファン装置に通気口を設けたものは粉塵及び埃が機器内部に入りやすく、冷却ファンに粉塵及び埃が吸引されヒートシンクに溜まり、十分な冷却が出来ずコンピューターの機能が低下及び動作不安定になっている。また、粉塵による回路基板等のショートによる故障の原因となっている。
【０００７】
それによって、コンピューター及び電子機器等を使用する人は機能を維持するために、通気口の清掃及び、機器内部の清掃を定期的に実施しなければならない。
【０００８】
機器内のファン及び冷却ヒートシンクについた粉塵及び埃は、コンピューターを分解しない限り取除くことが出来ず。コンピューターを分解する技術の無い方には困難である。また、フィルターは交換が必要で繰返して使用することができず不経済である。
【課題を解決するための手段】
【０００９】
電子機器粉塵フィルター１は、不織布及びガーゼを何層にも重ねたフィルターによりコンピューター２１を包むように構成され、コンピューター側面のＵＳＢ電源供給式のファン５より電子機器粉塵フィルター１で粉塵及び埃が取り除かれたクリーンな空気を機器内部に送り込み、電源ボックス２０の排出ファンにより機器内の空気を排出させる。
【００１０】
コンピューター及び電子機器の筐体を分解することなく、電子機器粉塵フィルター１に粉塵及び埃による汚れ及び付着状態を肉眼で確認できるようになることから、電子機器粉塵フィルター１の掃除時期が把握できるようになる。
【００１１】
そして、コンピューター及び電子機器内部に送り込まれたクリーンな空気の流れによって、電子回路を用いた回路基板等の電子部品からの発熱を放散することができるようになる。
【００１２】
もし、電子機器粉塵フィルター１が粉塵及び埃で汚れフィルターとしての機能が低下した場合は、コンピューター及び電子機器の筐体を分解することなくＵＳＢ電源供給式ファン５を取外し安全に容易に掃除が可能で、汚れがひどい時はファスナー２を開いてコンピューター２１を取外して洗濯して何度でも使用することができる。
【考案の効果】
【００１３】
以上の説明より、本考案は次に説明する、以下の効果が得られる。
【００１４】
常に、コンピューター及び電子機器内にクリーンな空気が送り込め、発熱による機器の機能低下及び動作不安定になることを防ぐことができ、通気口、光ディスクドライブ及びコネクタ等の取付け隙間から粉塵が侵入することを防ぎ、回路基板等のショートによる故障を解消することができる。
【００１５】
フィルターの汚れの状態の確認ができて、掃除及び洗濯が何人にも安全に容易に実施できる。
【００１６】
従来の大きな金属製又はプラスチック製のカバーでコンピューター全体を囲っていた防塵ラックよりスペースを取らず、電子機器粉塵フィルター１は洗濯して何度でも使用できるため、従来の清掃工程及び機能維持等を考慮するとランニングコスト等が安価になる。
【図面の簡単な説明】
【００１７】
【図１】コンピューターに電子機器粉塵フィルターを装着する前の状態の斜視図
【図２】コンピューターにＵＳＢ電源供給式ファンを取付ける場合の分解斜視図。
【図３】コンピューターに電子機器粉塵フィルターを装着した状態の空気の流れの斜視図。
【図４】コンピューターに電子機器粉塵フィルターを装着した状態の組立完成斜視図。
【図５】電子機器粉塵フィルターに各シールを貼り付ける場合の分解正面図。
【図６】電子機器粉塵フィルターに各シールを貼り付ける場合の分解背面図。
【図７】タワー型コンピューターに電子機器粉塵フィルターを装着した状態の組立完成斜視図。
【考案を実施するための形態】
【００１８】
本考案について装着するときの形態を図面に基づいて説明する。
【実施例１】
【００１９】
図１に示す如く、電子機器粉塵フィルター１のファスナー２を開けて電子機器粉塵フィルター１にコンピューター２１を入れてファスナー２を閉める。
【００２０】
図２に示す如く、コンピューターの通気口１９にＵＳＢ電源供給式ファン５を面ファスナー又は磁石等で取付ける。コンピューターの通気口は、機器により右側面又は背面である場合があるため、通気口の位置に取付ける。コンピューター前面ＵＳＢポート８にＵＳＢ電源供給式ファン５のＵＳＢ電源コネクター２２が挿せるように電子機器粉塵フィルター１をコンピューター前面ＵＳＢポート８の形に合うようにハサミ等で穴を明け、前面ＵＳＢ補強シール１４を貼り、ファン用のＵＳＢ電源コネクター２２を取り付ける。ただし、機器によりＵＳＢポート８の位置が違うため、機器に合わせて穴を明けてＵＳＢ電源コネクター２２を取付ける。
【００２１】
図６に示す如く、同様にコンピューター電源コネクター１０、コンピューター背面ＵＳＢポート９、ＬＡＮケーブルコネクター１１、コンピューターモニターコネクター１２にもコネクターの形に合うようにハサミ等で穴を明け、コンピューター電源コネクター１０には、電源コネクター補強シール１５を貼り、コンピューター背面ＵＳＢポート９には、背面ＵＳＢ補強シール１６を貼り、ＬＡＮケーブルコネクター１１には、ＬＡＮケーブルコネクター補強シール１７を貼り、コンピューターモニターコネクター１２には、モニターコネクター補強シール１８を貼る。補強シールは、切込みを入れて穴を明けた箇所が裂けないように強化するためと隙間を最小限にする効果がある。
【００２２】
図５に示す如く、電子機器粉塵フィルター１は、コンピューターを包むように囲われているため、取り付けるとコンピューター電源ボタン６の場所がわかり難くなるため、電源ボタンの位置に電源ボタンシール１３を貼ることでこの装置の組立は完成である。
【００２３】
図３に示す如く、装着した本考案は、ＵＳＢ電源供給式ファン５を回転させることにより、電子機器粉塵フィルター１により透過されたクリーンな空気が機器内を流れ、発熱した電子機器を冷却して電源ボックス２０の後方に空気を排出する。その時進入する空気に粉塵及び埃が混入していた場合でも、電子機器粉塵フィルターはコンピューター全面を包むように囲われているため、コンピューターのあらゆる隙間から粉塵及び埃が進入することを阻止でき、常にクリーンな空気を電子機器内部に送り込むことができる。
【００２４】
本考案を使用していると、電子機器粉塵フィルター１に粉塵及び埃が吸着され汚れてくる。その汚れは、機器の筐体を解体しなくても直接確認することできる。
【００２５】
もし、電子機器粉塵フィルター１が汚れ、空気の吸入力が弱まっていることが確認された場合はコンピューターの電源を切った状態にしてファンの回転を止めて、ＵＳＢ電源供給式ファン５を取外し、掃除をすることができる。汚れがひどい時は、全てのコネクターを外し電子機器粉塵フィルター１のファスナー２を開けて、コンピューターを取出し電子機器粉塵フィルター１を洗濯することができる。電子機器粉塵フィルター１は洗濯することで繰り返して使用することができる。
【００２６】
図５に示す如く、電子機器粉塵フィルター１は、底面部のフィルター用足４に機器が滑らないようにゴム又はジェル素材を使用して、地震等により機器が転落するのを防ぐことができる。
【００２７】
次に、タワー型のコンピューターに、本考案を適応させた場合の例を説明する。図７は、タワー型のコンピューターに装着したときの組立完成図である。組立及び装着の説明は、上記図１、図２、図５、図６と同一であるため、それらの説明を省略するが、光学ドライブ７の位置及び電子機器粉塵フィルター１のサイズの変更が必要であるが、種々のコンピューターの形態に対応した電子機器に電子機器粉塵フィルター１が装着可能である。
【００２８】
以上の説明より、本考案の電子機器粉塵フィルター１を使用することで、粉塵及び埃による汚れ等の状態を容易に確認ができ、コンピューター及び電子機器等内で発熱した電子回路を用いた回路基板等の電子部品をクリーンな空気で冷却し、機能の低下及び動作不安定になることを防ぎ、粉塵による回路基板等のショートも防ぐことができる。また、電子機器粉塵フィルター１は掃除及び洗濯が何人にも安全に容易に実施できる。
【産業上の利用可能性】
【００２９】
工作機械により金属製の粉塵が舞っている工場及び火山の噴煙で火山灰が飛散しているような環境でも、コンピューター及び電子機器を利用することができる。又は、医療関係でウィルス及び細菌等が飛散している場所にコンピューターを設置することができ、場所をとらないため限られたスペースにも設置することができる。
【符号の説明】
【００３０】
１    電子機器粉塵フィルター
２    コンピューター取出し用ファスナー
３    光学ドライブ開閉用ファスナー
４    フィルター用足
５    ＵＳＢ電源供給式ファン
６    コンピューター電源ボタン
７    コンピューター光学ドライブ
８    コンピューター前面USBポート
９    コンピューター背面USBポート
１０  コンピューター電源コネクター
１１  ＬＡＮケーブルコネクター
１２  コンピューターモニターコネクター
１３  電源ボタンシール
１４  前面ＵＳＢ補強シール
１５  電源コネクター補強シール
１６  背面ＵＳＢ補強シール
１７  ＬＡＮケーブルコネクター補強シール
１８  モニターコネクター補強シール
１９  コンピューター通気口
２０  コンピューター電源ボックス
２１  コンピューター
２２  ＵＳＢ電源コネクター
【図１】
0003207339.tif 000003
【図２】
0003207339.tif 000004
【図３】
0003207339.tif 000005
【図４】
0003207339.tif 000006
【図５】
0003207339.tif 000007
【図６】
0003207339.tif 000008
【図７】
0003207339.tif 000009
【手続補正書】
【提出日】平成28年9月2日(2016.9.2)
【手続補正１】
【補正対象書類名】実用新案登録請求の範囲
【補正対象項目名】全文
【補正方法】変更
【補正の内容】
【実用新案登録請求の範囲】
【請求項１】
コンピューター及び電子機器の外側に不織布及ガーゼを何層にも重ねたフィルターにより機器を包むように構成され、ファスナー又は面ファスナーの開閉によりコンピューター及び電子機器の出し入れができ、かつフィルターの側面にＵＳＢ電源供給式のファン（５）を磁石又は面ファスナーで取り付け、ファンを回転させることで機器内にクリーンな空気を取込むようにしたことを特徴とする電子機器のフィルター装置。
【請求項２】
前面部にファスナーの開閉にてメディアの出し入れができることを特徴とする請求項１記載のフィルター装置。
【請求項３】
コンピューターの底面部に機器が滑らないようにゴム又はジェル素材の足で、地震等により機器が転倒するのを防ぐことを特徴とする請求項１記載のフィルター装置。